(57)【要約】【課題】移動体Ｍに包丁Ｋを横置き状態で載置する場合であっても、移動体Ｍの引き出し操作に伴い刃先Ｋｆに与える衝撃を小さくできると共に包丁Ｋが飛び出さないようにする。【解決手段】左右方向に延びて後方向へ下り傾斜した刃本体載置面５及び刃本体載置面５の下縁から立設した停止面６を有する刃本体載置領域３と、左右方向に延びて後方向へ下り傾斜した柄載置面７及び柄載置面７の下縁から立設した停止面８を有する柄載置領域４とを備え、刃本体載置領域３から柄載置領域４までの上縁側の適所に飛出し防止面９（１０），１１（１２）を立設したこと。【効果】移動体Ｍの引き出し操作に伴い包丁Ｋが飛出し防止面に当接するまで登った後に落下して停止面６，８に当接するまでの移動寸法を短くして刃先Ｋｆに与える衝撃を小さくでき、例え移動体Ｍを急速に引き出し停止しても、飛出し防止面に当接して包丁Ｋの登りが阻止される。【選択図】図２
2005144073.tif 000002
【特許請求の範囲】
【請求項１】
左右方向に延びて後方向へ下り傾斜する刃本体載置面の下縁から停止面を立設した刃本体載置領域と、該左右方向に延びて該後方向へ下り傾斜した柄載置面の下縁から停止面を立設した柄載置領域とを備えた包丁収納トレーにおいて、前記刃本体載置領域から前記柄載置領域までの上縁側の適所に飛出し防止面を立設したことを特徴とする包丁収納トレー。
【請求項２】
前記柄載置面を前記刃本体載置面をより低い位置とし、前記柄載置領域の上縁側に前記飛出し防止面を立設した請求項１記載の包丁収納トレー。
【請求項３】
前記柄載置面を前記刃本体載置面をより低い位置とし、前記刃本体載置領域と前記柄載置領域の間に形成した柄掴み用凹部と、前記刃本体載置領域と前記柄掴み用凹部の境界の下半側から突出した刃本体あご当接用起立片と、該境界の上半側に、該刃本体あご当接用起立片より前記刃本体載置面側へ入り込むように凹設した柄口部侵入用凹部とを備えた請求項１記載の包丁収納トレー。
【請求項４】
前記刃本体載置領域及び前記柄載置領域からなる包丁収納領域の複数列を並設し、各列の前記柄載置領域の上縁側に前記飛出し防止面を立設し、隣接する前列の前記刃本体あご当接用起立片で後列の前記境界の上半側に前記飛出し防止面を形成した請求項３記載の包丁収納トレー。
【請求項５】
前方向へ引き出される移動体に配置されている請求項１，２，３又は４記載の包丁収納トレー。
【発明の詳細な説明】
【技術分野】
【０００１】
本発明は、伏せた状態の包丁を収納するための包丁収納トレーに関するものである。
【背景技術】
【０００２】
従来、伏せた状態の包丁を収納する包丁収納トレーには、特許文献１に記載のものがある。この包丁収納トレーは、長手方向に延びて短手方向へ下り傾斜した刃本体載置面及び該刃本体載置面の下縁から立設した停止面を有する刃本体載置領域と、該長手方向に延びて該短手方向へ下り傾斜した柄載置面及び該柄載置面の下縁から立設した停止面を有する柄載置領域とを備えている。この包丁収納トレーを引出し等の移動体に配置するときには、移動体の移動方向とトレーの前記長手方向を合致させ、該移動方向に沿う縦置き状態の包丁の柄が手前側で刃本体が奥側となるようにしてある。
【特許文献１】特開平５−３０９０４９号公報
【発明の開示】
【発明が解決しようとする課題】
【０００３】
移動体に従来の包丁収納トレーを介して包丁を縦置き状態で載置するときには、手前側の柄から奥側の刃本体までの全体が見えるまで移動体を引き出さないと、安全に包丁を出し入れできないため、移動体の引き出し寸法が大きくなり、使い勝手が非常に悪かった。そこで、移動体の移動方向と直交する方向に沿うように包丁を横置き状態に載置して、移動体の少ない引き出し寸法でも包丁の全体が見えるように、移動体の引き出し方向と従来の包丁収納トレーの前記短手方向を合致させることが考えられる。
【０００４】
しかし、移動体の引き出し方向とトレーの短手方向を合致させた場合には、移動体を引き出し停止したときに、包丁に生じる慣性力により、包丁が刃本体用及び柄用の傾斜している両載置面からはみ出す程に登ってその後に落下して停止面に衝突するまでの移動寸法が長くなり、刃先に与える衝撃が大きて刃こぼれ等の原因となり好ましくない。更に、移動体を急速に引き出し操作する人の場合には、包丁に生じる慣性力が非常に大きくなり、包丁が移動体から飛び出す危険がある。
【０００５】
本発明は、従来技術の上記問題点に鑑み創案したものであって、移動体に包丁を横置き状態で載置する場合であっても、移動体の引き出し操作に伴い刃先に与える衝撃を小さくできると共に包丁が飛び出すことのない包丁収納トレーの提供を目的とする。
【課題を解決するための手段】
【０００６】
移動体に包丁を横置き状態で載置する場合であっても、移動体の引き出し操作に伴い刃先に与える衝撃を小さくできると共に包丁が飛び出さないようにするために請求項１記載の本発明が採用した手段は、左右方向に延びて後方向へ下り傾斜した刃本体載置面及び該刃本体載置面の下縁から立設した停止面を有する刃本体載置領域と、該左右方向に延びて該後方向へ下り傾斜した柄載置面及び該柄載置面の下縁から立設した停止面を有する柄載置領域とを備えた包丁収納トレーにおいて、前記刃本体載置領域から前記柄載置領域までの上縁側の適所に飛出し防止面を立設したことを特徴とする包丁収納トレーである。
本発明にあっては、前方向へ引き出される移動体に包丁収納トレーを配置した場合において、移動体の引き出し停止に伴って包丁に生じる慣性力で包丁が刃本体用及び柄用の傾斜している両載置面を登ったとしても、飛出し防止面に当接してその登りが阻止されるため、飛出し防止面に当接するまで登った後に落下して停止面に当接するまでの移動寸法を短くすることができ、また、例え移動体を急速に引き出し停止しても、飛出し防止面に当接して包丁の登りが阻止される。
【０００７】
包丁の飛び出し防止を確実にするために請求項２記載の本発明が採用した手段は、前記柄載置面を前記刃本体載置面をより低い位置とし、前記柄載置領域の上縁側に前記飛出し防止面を立設した請求項１記載の包丁収納トレーである。
本発明にあっては、柄載置面が刃本体載置面より低い位置であるため、柄載置領域に設ける飛出し防止面の背丈を高くすることができる。
【０００８】
柄の口部が刃本体あご位置より切っ先側へ突出している包丁を収納するときに、トレーの所定位置に刃本体あごを当接させつつ包丁を安定よく収納できると共に柄の掴み取りが容易となるようにするために請求項３記載の本発明が採用した手段は、前記刃本体載置面を前記柄載置面より高い位置とし、前記刃本体載置領域と前記柄載置領域の間に形成した柄掴み用凹部と、前記刃本体載置領域と前記柄掴み用凹部の境界の下半側から突出した刃本体あご当接用起立片と、該境界の上半側に、該刃本体あご当接用起立片より前記刃本体載置面側へ入り込むように凹設した柄口部侵入用凹部とを備えた請求項１記載の包丁収納トレーである。
本発明にあっては、刃本体あごが刃本体あご当接用起立片に当接する所定位置に包丁を載置したとき、刃本体あごより切っ先側へ突出している柄の口部が柄口部侵入用凹部に侵入するので、刃本体載置面に刃本体を載置させることがで、更に、柄掴み用凹部に指先を突っ込んで柄を掴み取ることができる。
【０００９】
簡単な構造で包丁の飛び出し防止を確実にするために請求項４記載の本発明が採用した手段は、前記刃本体載置領域及び前記柄載置領域からなる包丁収納領域の複数列を並設し、各列の前記柄載置領域の上縁側に前記飛出し防止面を立設し、隣接する前列の前記刃本体あご当接用起立片で後列の前記境界の上半側に前記飛出し防止面を形成した請求項３記載の包丁収納トレーである。
本発明にあっては、柄載置面が刃本体載置面より低い位置であるため、柄載置領域に設ける飛出し防止面の背丈を高くすることができると共に、前列の刃本体あご当接用起立片で形成した後列の飛出し防止面に柄口部近辺を当接させることができる。
【００１０】
引き出し操作に伴い刃先に与える衝撃を小さくできると共に包丁が飛び出さない移動体を得るために請求項５記載の本発明が採用した手段は、前方向へ引き出される移動体に配置されている請求項１，２，３又は４記載の包丁収納トレーである。
本発明にあっては、移動体の引き出し停止に伴って包丁に生じる慣性力で包丁がトレーの刃本体用及び柄用の傾斜している両載置面を登ったとしても、飛出し防止面に当接してその登りが阻止されるため、飛出し防止面に当接するまで登った後に落下して停止面に当接するまでの移動寸法を短くすることができ、例え移動体を急速に引き出し停止しても、飛出し防止面に当接して包丁の登りが阻止される。
【発明の効果】
【００１１】
請求項１記載の本発明に係る包丁収納トレーは、移動体に包丁を横置き状態で載置する場合であっても、移動体の引き出し操作に伴い包丁が飛出し防止面に当接するまで登った後に落下して停止面に当接するまでの移動寸法を短くして刃先に与える衝撃を小さくでき、例え移動体を急速に引き出し停止しても、飛出し防止面に当接して包丁の登りが阻止されるので包丁が飛び出すこともない。
【００１２】
請求項２記載の本発明に係る包丁収納トレーは、柄載置領域に設ける飛出し防止面の背丈を高くして、包丁の飛び出し防止を確実にすることができる。
【００１３】
請求項３記載の本発明に係る包丁収納トレーは、柄の口部が刃本体あご位置より切っ先側へ突出している包丁を収納するときでも、柄口部侵入用凹部に柄の口部を侵入させることで、刃本体を刃本体載置面に載置させた状態で包丁を安定よく収納でき、更に、柄掴み用凹部に指先を突っ込んで柄を容易に掴み取ることができる。
【００１４】
請求項４記載の本発明に係る包丁収納トレーは、柄載置面が刃本体載置面より低い位置であるため、柄載置領域に設ける飛出し防止面の背丈を高くすることができると共に、刃本体あご当接用起立片で兼用した後列の飛出し防止面に柄口部近辺を当接させることができるため、簡単な構造で包丁の飛び出し防止を確実にすることがでる。
【００１５】
請求項５記載の本発明に係る包丁収納トレーは、引き出し操作に伴い刃先に与える衝撃を小さくできると共に包丁が飛び出さない移動体を得ることができる。
【発明を実施するための最良の形態】
【００１６】
本発明に係る包丁収納トレー（以下、「本発明トレー」と言う。）を図面に示す実施形態に基づいて説明する。
【００１７】
（第１の実施の形態）
図１及び図２は本発明の第１の実施の形態に係る本発明トレー１を示すものであり、図１（Ａ）は本発明トレー１を後左上方から見た斜視図、同図（Ｂ）は本発明トレー１の正面図、同図（Ｃ）は（Ａ）のｃ−ｃ線断面図、同図（Ｄ）は（Ａ）のｄ−ｄ線断面図、同図（Ｅ）は（Ａ）のｅ−ｅ線断面図、同図（Ｆ）は（Ａ）のｆ−ｆ線断面図である。図２は移動体Ｍに本発明トレー１を配置した状態を示すものであって、同図（Ａ）は移動体Ｍが静止しているときの包丁（二点鎖線）を示す平面図、同図（Ｂ）は移動体Ｍを手前に引き出して停止した直後の包丁（二点鎖線）を示す平面図である。
【００１８】
第１の実施の形態に係る本発明トレー１は、全体が合成樹脂素材等から成形され、図１に示す如く、四周壁１４の内側に、左右方向に延びる包丁収納領域２の複数列（図示の場合は三列）を並設したものである。各包丁収納領域２は、刃本体載置領域３と柄載置領域４とを備え、刃本体載置領域３は、左右方向に延びて後方向へ下り傾斜した刃本体載置面５及び刃本体載置面５の下縁５ａから立設した停止面６を有し、柄載置領域４は、左右方向に延びて後方向へ下り傾斜した柄載置面７及び柄載置面７の下縁７ａから上り傾斜状態又は直立状態（図示略）で立設した停止面８を有する。後方の刃本体載置領域３の停止面６は、前記周壁１４の後壁で形成してある。
【００１９】
前記刃本体載置領域３から前記柄載置領域４までの上縁側の適所には、飛出し防止面９（１０），１１（１２）を立設してある。本実施の形態において中央及び後方の包丁収納領域２は、刃本体載置領域３における刃本体載置面５の上縁側の左右全域又は一部（図示略）に飛出し防止面９を立設すると共に、柄載置領域４における柄載置面７の上縁側の左右全域又は一部（図示略）に飛出し防止面１１を立設してある。飛出し防止面１１は、上方へ行く程に後方へ突出するように張り出してある。また、前方の包丁収納領域２は、刃本体載置領域３における刃本体載置面５の上縁側の左右全域又は一部（図示略）に飛出し防止面１０を立設すると共に、柄載置領域４のにおける柄載置面７の上縁側の左右全域又は一部（図示略）に飛出し防止面１２を立設してある。防止面１０，１２は、前記周壁１４の前壁で形成してある。
【００２０】
各包丁収納領域２は、包丁Ｋの柄Ｋａが刃本体Ｋｂに比べて分厚いことを考慮して、刃本体載置面５に比べて柄載置面７を高さ寸法Ｈ（図１（Ｂ）参照）だけ低い位置となるようにしてあり、刃本体載置面５に包丁Ｋの刃本体Ｋｂを載置したときの当接面積を大きくして包丁Ｋを安定した状態で収納できるようにしてある。刃本体載置面５に比べて柄載置面７を高さ寸法Ｈだけ低い位置とすることにより、柄載置領域４に設けた飛出し防止面１１，１２は、その背丈を高くすることができ、分厚い柄Ｋａの飛び出し防止を確実にできるようになる。
【００２１】
本発明トレー１は、各包丁収納領域２の刃本体載置領域３と柄載置領域４の間に柄掴み用凹部１５を形成し、柄掴み用凹部１５に指先を突っ込んで包丁Ｋの柄Ｋａを容易に掴み取ることができるようにしてある。各包丁収納領域２に形成した柄掴み用凹部１５は、前後で連なっている。本発明トレー１は、四周壁１４の前後壁に、柄掴み用凹部１５に対応するように切欠き凹部１４ａ，１４ｂを形成し、包丁Ｋの柄Ｋａを掴み取り易くしてある。
【００２２】
本発明トレー１は、柄掴み用凹部１５に面する各刃本体載置領域３の外側（右外側）に刃本体あご当接用起立片１３を起立し、図２に示す如く、起立片１３に包丁Ｋの刃本体あごＫｃを当接させて包丁Ｋを位置決めするようにしてある。包丁Ｋには、柄Ｋａの口部Ｋｄが刃本体あごＫｃより切っ先Ｋｅ側へ突出しない一般的なタイプＫ１と、柄Ｋａの口部Ｋｄが刃本体あごＫｃより切っ先Ｋｅ側へ突出する特殊タイプＫ２とがある。各包丁収納領域２は、特殊タイプＫ２の包丁Ｋに対処するために、柄掴み用凹部１５に面する刃本体載置面５の縁側（図示の場合は右縁側）に、刃本体載置面５側へ入り込むように柄口部侵入用凹部１６を凹設してある。柄口部侵入用凹部１６は、その底面の高さを、柄載置領域４の柄載置面７に合わせてある。特殊タイプＫ２の包丁Ｋは、本発明トレー１に収納するときに、柄口部侵入用凹部１６へ口部Ｋｄを侵入させることで、本体載置面５に口部Ｋｄを乗り上げさせることなく、刃本体あご当接用起立片１３に刃本体あごＫｃを当接させつつ、刃本体載置面５に刃本体Ｋｂを安定した状態で載置できる。また、一般的なタイプＫ１の包丁Ｋで柄Ｋａが長い場合には、柄口部侵入用凹部１６へ口部Ｋｄを侵入させることで対処できる。
【００２３】
本発明トレー１は、図２に示す如く、引出し等からなる手前に引き出す移動体Ｍに、手前どうしを合致させて配置される。包丁Ｋは、刃先Ｋｆが後方へ向くように、各包丁収納領域２の刃本体載置領域３及び柄載置領域４に載置されて収納される。収納載置された包丁Ｋは、その自重により、下り傾斜した刃本体載置面５及び柄載置面７を下り落ち、停止面６，８で停止する。
【００２４】
本発明トレー１に収納された包丁Ｋは、移動体Ｍの引き出し停止に伴って生じる慣性力で、本発明トレー１の刃本体用及び柄用の傾斜している両載置面５，７を一旦登ったとしても、飛出し防止面９（１０），１１（１２）に当接してその登りが阻止され（図２（Ｂ）参照）、その後に、両載置面５，７を滑り落ちるように落下して停止面６，８に当接して停止する（同図（Ａ）参照）。本発明トレー１は、包丁Ｋの登り寸法を飛出し防止面９（１０），１１（１２）で制限するため、飛出し防止面９（１０），１１（１２）に当接するまで登った後に落下して停止面６，８に当接するまでの移動寸法を短くして刃先Ｋｆに与えるダメージを最小限にでき、また例え移動体Ｍを急速に引き出し停止しても、飛出し防止面９（１０），１１（１２）に包丁Ｋを当接させて包丁Ｋの飛び出しを防止するので安全である。
【００２５】
（第２の実施の形態）
図３乃至図９は本発明の第２の実施の形態に係る本発明トレー２１を示すものであり、図３（Ａ）は本発明トレー２１の平面図、同図（Ｂ）は本発明トレー２１の正面図、同図（Ｃ）は（Ａ）のｃ−ｃ線断面図、同図（Ｄ）は（Ａ）のｄ−ｄ線断面図、同図（Ｅ）は（Ａ）のｅ−ｅ線断面図、同図（Ｆ）は（Ａ）のｆ−ｆ線断面図である。図４は本発明トレー２１を後左上方から見た斜視図、図５は本発明トレー２１を右斜め後上方から見た一部を示す斜視図である。図６乃至図９は移動体Ｍに本発明トレー２１を配置した状態を示すものであり、図６（Ａ）は移動体Ｍが静止しているときの包丁（二点鎖線）を示す平面図、同図（Ｂ）は移動体Ｍを引き出して停止した直後の包丁（二点鎖線）を示す平面図、図７は移動体Ｍが静止しているときの包丁Ｋ（実線）と、移動体Ｍを引き出して停止した直後の包丁Ｋ（二点鎖線）とを併せて示す斜視図、図８は移動体Ｍが静止しているときの包丁（実線）と、移動体Ｍを引き出して停止した直後の包丁（二点鎖線）とを併せて示す斜視図である。
【００２６】
第２の実施の形態に係る本発明トレー２１は、前記第１の実施の形態と同様に、全体が合成樹脂素材等から成形され、図３乃至図５に示す如く、四周壁１４の内側に、左右方向に延びる包丁収納領域２の複数列（図示の場合は三列）を並設したものである。各包丁収納領域２は、刃本体載置領域３と柄載置領域４とを備え、刃本体載置領域３は、左右方向に延びて後方向へ下り傾斜した刃本体載置面５及び刃本体載置面５の下縁５ａから立設した停止面６を有し、柄載置領域４は、左右方向に延びて後方向へ下り傾斜した柄載置面７及び柄載置面７の下縁７ａから上り傾斜状態又は起立状態（図示略）で立設した停止面８を有する。後方の刃本体載置領域３の停止面６は、前記周壁１４の後壁で形成してある。      
【００２７】
前記刃本体載置領域３から前記柄載置領域４までの上縁側には、飛出し防止面１９（１０），１１（１２）を立設してある。本実施の形態において中央及び後側の包丁収納領域２は、刃本体載置領域３の右外側の上縁側に飛出し防止面１９を立設すると共に、柄載置領域４の上縁側に飛出し防止面１１を立設してある。防止面１９は、後述する刃本体あご当接用起立片２３の後側に一体形成してある。前側の包丁収納領域２は、刃本体載置領域３の上縁側に飛出し防止面１０を立設すると共に、柄載置領域４の上縁側に飛出し防止面１２を立設してある。防止面１０は、刃本体載置領域３の全体にわたって前記周壁１４の前壁で形成されている。防止面１２は、柄載置領域４の全体にわたって前記周壁１４の前壁で形成されている。なお、上記防止面１９は、刃本体あご当接用起立片２３と別体となるように、刃本体載置面５から立設させることもある。また、防止面１９は、刃本体載置面５の上縁側の適所（例えば、左右中間寄りの一部）に別途立設させることもある。
【００２８】
各包丁収納領域２は、前記第１の実施の形態と同様に、包丁Ｋの柄Ｋａが刃本体Ｋｂに比べて分厚いことを考慮して、刃本体載置面５に比べて柄載置面７を高さ寸法Ｈ（図３（Ｂ）参照）だけ低い位置となるようにしてあり、刃本体載置面５に包丁Ｋの刃本体Ｋｂを載置したときの当接面積を大きくして包丁Ｋを安定した状態で収納できるようにしてある。
【００２９】
本発明トレー２１は、前記第１の実施の形態と同様に、各包丁収納領域２の刃本体載置領域３と柄載置領域４の間に柄掴み用凹部１５を形成し、柄掴み用凹部１５に指先を突っ込んで包丁Ｋの柄Ｋａを容易に掴み取ることができるようにしてある。各包丁収納領域２に形成した柄掴み用凹部１５は、前後で連なっている。本発明トレー２１は、四周壁１４の前後壁に、柄掴み用凹部１５に対応するように切欠き凹部１４ａ，１４ｂを形成し、包丁Ｋの柄Ｋａを掴み取り易くしてある。
【００３０】
本発明トレー２１は、柄掴み用凹部１５に面する各刃本体載置領域３の外側（右外側）に、右外側に刃本体あご当接用起立片２３を起立し、起立片２３に包丁Ｋの刃本体あごＫｃを当接させて包丁Ｋを位置決めするようにしてある（図６（Ａ），図７の実線参照）。各包丁収納領域２は、第１の実施の形態で説明した特殊タイプＫ２の包丁Ｋに対処するために、前記第１の実施の形態と同様に、柄掴み用凹部１５に面する刃本体載置面５の縁側（右縁側）に、刃本体載置面５側へ入り込むように柄口部侵入用凹部１６を凹設してある。特殊タイプＫ２の包丁Ｋは、本発明トレー２１に収納するときに、図６（Ａ）に示す如く、柄口部侵入用凹部１６へ口部Ｋｄを侵入させることで、本体載置面５に口部Ｋｄを乗り上げさせることなく、刃本体あご当接用起立片１３に刃本体あごＫｃを当接させつつ、刃本体載置面５に刃本体Ｋｂを安定した状態で載置できる。また、第１の実施の形態で説明した一般的なタイプＫ１の包丁Ｋで柄Ｋａが長い場合には、柄口部侵入用凹部１６へ口部Ｋｄを侵入させることで対処できる。
【００３１】
本発明トレー２１は、図６に示す如く、前記第１の実施の形態と同様に、引出し等からなる手前に引き出す移動体Ｍに、手前どうしを合致させて配置される。包丁Ｋは、刃先Ｋｆが後方へ向くように、各包丁収納領域２の刃本体載置領域３及び柄載置領域４に載置されて収納される。収納載置された包丁Ｋは、その自重により、下り傾斜した刃本体載置面５及び柄載置面７を下り落ち、停止面６，８で停止する（図７及び図８の各実線参照）。      
【００３２】
本発明トレー２１に収納された包丁Ｋは、移動体Ｍの引き出し停止に伴って生じる慣性力で、本発明トレー２１の刃本体用及び柄用の傾斜している両載置面５，７を一旦登ったとしても、飛出し防止面１９（１０），１１（１２）に当接してその登りが阻止され（図６（Ｂ），図７及び図８の各二点鎖線参照）、その後に、両載置面５，７を滑り落ちるように落下して停止面６，８に当接して停止する（図６（Ａ），図７及び図８の各実線参照）。なお、刃本体Ｋｂの肉厚が厚い等の理由で刃本体Ｋｂの部分が重たい包丁Ｋ（本実施の形態では特殊タイプＫ２）の場合には、図６（Ｂ），図７及び図８に示す如く、移動体Ｍの引き出し停止に伴って登った刃本体Ｋｂの峰部Ｋｇの柄寄り側が飛出し防止面１９に当接した後も、飛出し防止面１９を揺動中心として切っ先Ｋｅが登るように揺動し、柄Ｋａが停止面８に当接して揺動が阻止されて停止する。本発明トレー２１は、慣性力による包丁の登り寸法を飛出し防止面１９（１０），１１（１２）で制限するため、飛出し防止面１９（１０），１１（１２）に当接するまで登った後に落下して停止面６，８に当接するまでの移動寸法を短くして刃先Ｋｆに与えるダメージを最小限にでき、また例え移動体Ｍを急速に引き出し停止しても、飛出し防止面１９（１０），１１（１２）に包丁Ｋを当接させて包丁Ｋの飛び出しを防止するので安全である。
【００３３】
（その他の実施の形態）
前記本発明トレー１，２１は、包丁収納領域２の刃本体載置領域３を左側に配置すると共に柄載置領域４を右側に配置した右利き用のものであるが、これに限定するものではなく、図示は省略したが、刃本体載置領域３を右側に配置すると共に柄載置領域４を左側に配置した左利き用のものとすることも勿論可能である。
【００３４】
前記本発明トレー１，２１は、移動体Ｍに配置して使用する以外に、キッチン設備のワークトップ等に載置して使用することもある。この場合、本発明トレー１，２１は、後側が前方に押されて移動するのに伴い、収納されている包丁Ｋが刃本体用及び柄用の傾斜している両載置面５，７を登ったとしても、包丁Ｋを飛び出すこともなく安全である。
【図面の簡単な説明】
【００３５】
【図１】本発明の第１の実施の形態に係る本発明トレーを示すものであって、（Ａ）は後左上方から見た斜視図、（Ｂ）は正面図、（Ｃ）は（Ａ）のｃ−ｃ線断面図、（Ｄ）は（Ａ）のｄ−ｄ線断面図、（Ｅ）は（Ａ）のｅ−ｅ線断面図、（Ｆ）は（Ａ）のｆ−ｆ線断面図である。
【図２】移動体に第１の実施の形態に係る本発明トレーを配置した状態を示すものであって、（Ａ）は移動体が静止しているときの包丁（二点鎖線）を示す平面図、（Ｂ）は移動体を引き出して停止した直後の包丁（二点鎖線）を示す平面図である。
【図３】本発明の第２の実施の形態に係る本発明トレーを示すものであって、（Ａ）は平面図、（Ｂ）は正面図、（Ｃ）は（Ａ）のｃ−ｃ線断面図、（Ｄ）は（Ａ）のｄ−ｄ線断面図、（Ｅ）は（Ａ）のｅ−ｅ線断面図、（Ｆ）は（Ａ）のｆ−ｆ線断面図である。
【図４】第２の実施の形態に係る本発明トレーを後左上方から見た斜視図である。
【図５】第２の実施の形態に係る本発明トレーを右斜め後上方から見た一部を示す斜視図である。
【図６】移動体に第２の実施の形態に係る本発明トレーを配置した状態を示すものであって、（Ａ）は移動体が静止しているときの包丁（二点鎖線）を示す平面図、（Ｂ）は引き出した移動体を停止した直後の包丁（二点鎖線）を示す平面図である。
【図７】移動体に第２の実施の形態に係る本発明トレーを配置した状態を示すものであって、移動体が静止しているときの包丁（実線）と、移動体を引き出して停止した直後の包丁（二点鎖線）とを併せて示す斜視図である。
【図８】移動体に第１の実施の形態に係る本発明トレーを配置した状態を示すものであって移動体が静止しているときの包丁（実線）と、移動体を引き出して停止した直後の包丁（二点鎖線）とを併せて示す斜視図である。
【符号の説明】
【００３６】
１，２１…本発明トレー、３…刃本体載置領域、４…柄載置領域、５…刃本体載置面、６，８…停止面、７…柄載置面、９，１９，１０，１１，１２…飛出し防止面、Ｍ…移動体、Ｋ…包丁
【図１】
2005144073.tif 000003
【図２】
2005144073.tif 000004
【図３】
2005144073.tif 000005
【図４】
2005144073.tif 000006
【図５】
2005144073.tif 000007
【図６】
2005144073.tif 000008
【図７】
2005144073.tif 000009
【図８】
2005144073.tif 000010